(57)【特許請求の範囲】
【請求項１】
基板を横向きに置かれたボックスキャリヤーと洗浄槽の間を搬送する搬送機構であって、該搬送機構は基板を、回転治具と前記ボックスキャリヤーとの間を搬送する第１の搬送手段と、該回転治具と前記洗浄槽との間を搬送する第２の搬送手段とを有し、
前記第１の搬送手段は、基板を複数枚同時に挟持し、前記回転治具と前記ボックスキャリヤーとの間を水平面内で移送させるように、基腕上に設けた上下二つの基板挟持部材の組と、該上下の基板挟持部材を作動する挟持部材作動機構と、前記基腕の平面内レベルを上下方向に変換させる昇降機構と、前記昇降機構全体の方向を回転させ、前記基腕を水平方向に回転させる回転機構と、前記上下の基板挟持部材の内の少なくとも１方を上下方向にピッチ移動させて他方との上下距離をステップ状に変換させるピッチ昇降機構とを有し、前記上下の基板挟持部材のそれぞれが、先端に基板保持用のツメを備えた長いヨーク対と短いヨーク対とを備え、前記挟持部材作動機構が、前記長いヨーク対と短いヨーク対とを前後方向にスライドさせて、これらのツメの前後の距離を変換し、基板の前後左右を前記ツメにより挟持させるヨーク対スライド機構を有し、
前記回転治具は、複数枚の基板を収容でき、該回転冶具に備えた回転手段により水平方向から垂直方向に、また垂直方向から水平方向に回転可能であり、
前記回転治具の底部開口に昇降機構を備え、前記回転治具が垂直方向を向いているときに、収容した複数の基板を押し上げ、又は複数の基板を前記回転治具に収容し、
第２の搬送手段は、前記回転治具が垂直方向を向いているときに、前記回転治具の頂部開口の上に昇降し、複数の基板を同時に前記頂部開口の上部で前記昇降機構から受け取り、又は前記頂部開口の上部で前記昇降機構に受け渡すことを特徴とする基板洗浄乾燥装置における搬送機構。
【発明の詳細な説明】
【０００１】
【発明の属する技術分野】
本発明は、半導体分野におけるシリコンウエハ等の基板の洗浄操作で用いられる基板搬送機構に関する。
【０００２】
【従来の技術】
従来、シリコンウエハ等の洗浄装置では、図８（ａ）に示されるような底無しキャリヤー（以下オープンキャリヤー（２）と呼ぶ）が使用されていた。近ごろでは各種理由から図８（ｂ）に示されるような底付ケース（以後ボックスキャリアーと呼ぶ）が多用される情勢にある。このボックスキャリアー（３）は例えば図９に示されるようなもので、基板収納部は動的カップリングを有し基板（１）を水平方向から挿入することができる。基板２５枚入りオープンキャリヤーを２個使用する自動洗浄過程においては、オープンキャリヤーより基板を押上機構により同時に取出し、洗浄搬送機に移し替えをしていた。底無しのため、オープンキャリヤー下側より基板支持台を使用して基板を押し上げて移し替えをすることができる。
【０００３】
しかしながら、オープンキャリヤー（２）から、基板２５枚入りボックスキャリヤー（３）に変わった場合には、従来技術による対応は難しい。オープンキャリヤーから、また、今後は基板（１）の大口径化、また、両面研磨された基板が標準となり、従来の真空チャック方式の取り出しでは基板の裏面の汚染がある。基板の裏側も極力使用しない基板の搬送手段が求められている。また、自動洗浄装置（洗浄搬送タクトタイムは約３００秒）において、２個のボックスキャリヤー（３）より基板５０枚を取り出す場合、ボックスキャリヤー（３）から基板を１枚ずつ移し替えた場合には洗浄時間内に移し替えを終了させることができない。したがって、同時に複数枚の基板を取り出せる機構が必要になった。
【０００４】
【発明が解決しようとする課題】
本発明の目的は、上記従来技術の現状に鑑み、ボックスキャリヤーより基板を多数枚例えば５０枚を取り出す場合、ボックスキャリヤーに収納された基板を、同時に複数、迅速かつ安定して、基板裏面の汚染なしに取り出して洗浄槽等に搬送し、及び／又は、洗浄槽等からの被洗浄物基板を搬送して収納する搬送機構を提供することにある。
【０００５】
【課題を解決するための手段】
上記目的は、本発明の（１）「基板を横向きに置かれたボックスキャリヤーと洗浄槽の間を搬送する搬送機構であって、該搬送機構は基板を、回転治具と前記ボックスキャリヤーとの間を搬送する第１の搬送手段と、該回転治具と前記洗浄槽との間を搬送する第２の搬送手段とを有し、
前記第１の搬送手段は、基板を複数枚同時に挟持し、前記回転治具と前記ボックスキャリヤーとの間を水平面内で移送させるように、基腕上に設けた上下二つの基板挟持部材の組と、該上下の基板挟持部材を作動する挟持部材作動機構と、前記基腕の平面内レベルを上下方向に変換させる昇降機構と、前記昇降機構全体の方向を回転させ、前記基腕を水平方向に回転させる回転機構と、前記上下の基板挟持部材の内の少なくとも１方を上下方向にピッチ移動させて他方との上下距離をステップ状に変換させるピッチ昇降機構とを有し、前記上下の基板挟持部材のそれぞれが、先端に基板保持用のツメを備えた長いヨーク対と短いヨーク対とを備え、前記挟持部材作動機構が、前記長いヨーク対と短いヨーク対とを前後方向にスライドさせて、これらのツメの前後の距離を変換し、基板の前後左右を前記ツメにより挟持させるヨーク対スライド機構を有し、
前記回転治具は、複数枚の基板を収容でき、該回転冶具に備えた回転手段により水平方向から垂直方向に、また垂直方向から水平方向に回転可能であり、
前記回転治具の底部開口に昇降機構を備え、前記回転治具が垂直方向を向いているときに、収容した複数の基板を押し上げ、又は複数の基板を前記回転治具に収容し、
第２の搬送手段は、前記回転治具が垂直方向を向いているときに、前記回転治具の頂部開口の上に昇降し、複数の基板を同時に前記頂部開口の上部で前記昇降機構から受け取り、又は前記頂部開口の上部で前記昇降機構に受け渡すことを特徴とする基板洗浄乾燥装置における搬送機構」、
（２）「前記挟持部材作動機構が、前記上下二つの基板挟持部材のヨーク対を開閉する開閉機構を有することを特徴とする前記第（１）項に記載の基板洗浄乾燥装置における搬送機構。」により達成される。
【０００６】
【発明の実施の形態】
以下、本発明を図面によって詳細に説明する。
ここで、図１は、本発明の基板搬送機構を理解し易くするため概念図であり、図２は本発明の基板搬送機構における搬送手段および回転治具の動作を説明するものであり、図３は本発明における第１の搬送手段の挟持部材作動機構の１例を詳細に示すものであり、図４は第１の搬送手段の上下レベルをピッチ変換するピッチ変換機構の１例を説明するものであり、図５は本発明における回転治具から洗浄槽への基板移し換えのための第２の搬送手段の１例を示すものであり、図６は本発明における基板洗浄装置の全体構成例を示す図であり、図７は本発明における基板洗浄機構の全体レイアウト例を示す図であり、図８は従来のキャリアーを比較説明する図であり、図９は本発明で用いるボックスキャリアーを説明する図であり、図１０は従来の洗浄用キャリアーを示す図である。
【０００７】
図１の基板搬送機構において、横型配置状態のボックスキャリヤー（３）に収納されている基板（１）は、本発明による第１の搬送手段（５）の基板挟持手段（９）（１１）により挟持され、ボックスキャリヤー（３）から矢印Ａ方向に引き出された後、この第１の搬送手段（５）がボックスキャリヤー（３）と同一平面内に置かれた基板回転治具（２５）の方向に向きを矢印Ｂ方向に９０°変えられ、つぎに矢印Ｃに沿って基板回転治具（２５）に搬送される。その後、基板（１）を収容した基板回転治具（２５）が回転手段（２５ａ）の回転により、横型配置状態から回転して縦型配置状態になる。図１（ｂ）は、この状態変化を示し、基板回転治具（２５）の頂部開口（２５ｂ）は横向きから上向きに変わる。
【０００８】
そして、図２（ｂ）に示されるように、この縦型配置状態で、基板回転治具（２５）中の基板（１）が、底部開口（２５ｃ）に備えられた昇降機構（２７）の基板支持台（２７ａ）の上昇により頂部開口（２５ｂ）の上に押し出され、そこに移動し下降してきた第２の搬送手段（２９）に受け渡され、この第２の搬送手段（２９）によって例えば洗浄槽（４０）（図６）に搬送され洗浄される。
【０００９】
すなわち、この搬送機構例において、第１の搬送手段（５）は、基腕（７）に設けられた長手挟持部材（９）と短手挟持部材（１１）とからなる基板挟持機構により基板（１）を挟持する。長短２本の挟持部材（９）（１１）は上下に配置され、その先端には基板保持用のツメ（１９）が設けられている。挟持部材（９）（１１）は、挟持部材作動機構（１３）中の前後移動機構（図３）および上下移動機構（図４）により、前後および上下にそれぞれ移動し、相互の間隔を調節することができる。すなわち挟持部材（９）（１１）は、挟持部材作動機構（１３）中のヨーク対スライド機構（１５ａ）（１５ｂ）（１５ｃ）（１５ｄ）により基腕（７）上で前後方向にスライド移動し、ピッチ昇降機構（１７）により、上下レベルをステップ状に変えることができる。この前後移動機構（１５ａ）（１５ｂ）の詳細は後程、図３を参照し、昇降機構（１７）の詳細は後程、図４を参照して詳述される。この昇降機構（１７）と別に、第１の搬送手段（５）は、基板挟持部材（９）（１１）を支承する前記基腕（７）の平面内レベルを上下方向に変換させる昇降機構（２１）により、全体を昇降させることができ、また、該昇降機構（２１）の方向を回転させる回転機構（２３）により全体を所望の向きに変えることができる。この例においては挟持部材（９）は長い左右２本のヨーク対（９ａ）（９ｂ）と短い左右２本のヨーク対（９ｃ）（９ｄ）からなっており、また挟持部材（１１）も長い左右２本のヨーク対（１１ａ）（１１ｂ）と短い左右２本のヨーク対（１１ｃ）（１１ｄ）からなっており、これらのヨーク対はヨーク対開閉機構により左右方向に開閉することができる。しかし、本発明においてはヨーク対（９ａ）（９ｂ）（９ｃ）（９ｄ）は必ずしも左右方向に開閉するように分かれている必要はなく、またヨーク対（１１ａ）（１１ｂ）（１１ｃ）（１１ｄ）も必ずしも左右方向に開閉するように分かれている必要はない。つまり、ヨーク対開閉機構を設けて左右方向に開閉しなくても、挟持部材作動機構（１３）中のヨーク対スライド機構（１５ａ）（１５ｂ）（１５ｃ）（１５ｄ）、昇降機構（２１）及びピッチ昇降機構（１７）の適切な作動により、基板（１）を挟持し又は挟持状態を開放することができる。
【００１０】
この図１、図２に示される装置例においては、回転治具（２５）がボックスキャリヤー（３）と略同一平面上で９０度ずれた中心上に配置されているが、本発明は無論、回転治具（２５）を必ずしもボックスキャリヤー（３）と略同一平面上で９０度ずれた位置に置く必要はない。ピッチ昇降機構（１７）及び昇降機構（２１）の作動範囲内においてボックスキャリヤー（３）と異なるレベルにし、また例えば６０度の方角に配置することができる。また上記図では、ボックスキャリヤー（３）に基板が、水平になるように置かれているが、基板（１）が垂直になったままセットした場合には、ボックスキャリヤー（３）の基板（１）が平行になるような回転機構を設けることができる。
【００１１】
ボックスキャリヤー（３）より基板（１）を取り出す場合は、第１の搬送機構（５）は、挟持部材（９）と挟持部材（１１）との間隔が基板（１）を支承するに適した前後及び上下間隔に保持され、回転機構（２３）が逆回転し、挟持部材作動機構（１３）中のスライド機構によりボックスキャリヤー（３）内の基板中心まで移動し、挟持部材（９）（１１）が、ヨーク対スライド機構（１５ａ）（１５ｂ）（１５ｃ）（１５ｄ）により前後方向にスライドし、昇降機構（２１）及びピッチ昇降機構（１７）により上下方向に移動し、基板（１）の挟持位置まで達して、ヨーク対（９ａ）（９ｂ）（９ｃ）（９ｄ）、ヨーク対（１１ａ）（１１ｂ）（１１ｃ）（１１ｄ）を閉じる。挟持部材作動機構（１３）により基板（１）をボックスキャリヤー（３）より取り出し、回転機構（２１）により第１の搬送手段（１１）を回転させ、挟持部材作動機構（１３）により回転治具（２５）の中心まで挟持部材（９）（１１）が移動し、昇降機構（２１）により、及び必要ならばピッチ昇降機構（１７）をも作動させて、基板（１）を放した後、挟持部材（９）（１１）を挟持部材作動機構（１３）により引き出す。
【００１２】
基板（１）はボックスキャリヤー（３）の下側より順次取り出し、回転治具（２５）には上側より収納する。ピッチ昇降機構（１７）はこのための重要な役割を負う。回転治具（２５）に基板（１）の移し替えが完了したら、基板（１）が垂直になるように回転機構（２５ａ）により回転治具（２５）を回転させ、押上げ昇降機構（２７）により、基板支持台（２７ａ）を上昇させ、回転治具（２５）より基板（１）を全て取り出す。取り出された基板（１）は、本発明における第２の搬送手段（２９）により挟持され、洗浄槽（４０）等に搬送される。
【００１３】
図３は、本発明における第１の搬送手段における搬送機構の１例を詳細に示すものであり、回転機構（２３）、昇降機構（２１）、挟持部材（９）の挟持部材作動機構（１３）、特にヨーク対スライド機構（１５ａ）（１５ｂ）を図示している。挟持部材（９）は長短２つのヨーク対（９ａ）（９ｂ）、（９ｃ）（９ｄ）には、先端に基板保持用の４個のツメ（１９）が取り付けてあり、各々矢印のように前後方向に移動する。この例における駆動手段はシリンダであり、摺動部（１５ｅ）は直動ベアリングである。（ｃ）図は図中符号Ｅ部の詳細図である。この図に示されるように、ツメ（１９）はヨーク対（９ａ）上にカラー部（１９ａ）を有しまたカラー部（１９ａ）上に凸部（１９ｂ）が立設され、上の基板（１）は端部裏面がツメ（１９）に、端部側面が凸部（１９ａ）の立壁に支承され、下の基板（１）は端部裏面がヨーク対（１１ａ）に、端部側面がカラー部（１９ａ）の立壁にそれぞれ支承される。基板（１）を挟持するツメ（１９）は、基板に傷がつくのを防ぐため樹脂材料（ＰＴＦＥ、ＰＦＡ、ＰＥＥＫ）等を使用するのが好ましいが、ツメ材料はこれらに制限される訳ではなく、またツメ（１９）の形状を制限するものではない。またこの例においては基板２枚を挟持しているが、基板の挟持数量を制限するものではない。
【００１４】
この図の例は、挟持部材作動機構（１３）の駆動手段として、スライド機構は空圧シリンダ又はサーボモータを用いているため、挟持部材作動機構（１３）により図中符号Ｆの位置、又はＧの位置に移動できる。回転機構（２３）はＦ位置とＧ位置の中心にあり、ボックスキャリヤー（３）と回転治具（２５）は９０度ずれて配置されている。スライド機構の駆動手段をモータ等の方式にした場合は、必ずしもＦ、Ｇ位置の中心に回転機構（２３）の設置を制限するものではない。昇降機構（２１）の駆動手段としてサーボモータを用い、回転機構（２３）の駆動手段として空圧シリンダ又はサーボモータを用いる。
【００１５】
上記のように、本発明における第１の搬送手段（５）の挟持部材作動機構（１３）は、基腕（７）上に設けられツメ（１９）を有する長短の基板挟持部材（９）（１１）と、該基板挟持部材（９）（１１）を作動する挟持部材作動機構（１３）と、該基板挟持部材（９）（１１）を支承する前記基腕（７）の平面内レベルを上下方向に変換させる昇降機構（２１）と、前記昇降機構（１４）全体の方向を回転させる回転機構（２３）とを有し、かつ、前記挟持部材作動機構（１３）が、該基板挟持部材（９）（１１）それぞれを前記基腕（７）上で前後方向にスライドさせて相互の距離を変換させるヨーク対スライド機構（１５ａ）（１５ｂ）（１５ｃ）（１５ｄ）と、該基板挟持部材（９）（１１）の内の少なくとも１方を上下方向にピッチ移動させて他方との上下距離をステップ状に変換させるピッチ昇降機構（１７）とからなっている。また、ヨーク対の左右間隔を調節可能なものとすることでき、固定式とすることができる。
【００１６】
図４は、上下に挟持部材（９）（１１）を設けた第１の搬送手段を示す詳細図であり、上下の挟持部材（９）（１１）を上下にピッチ変換するピッチ変換機構（１７）を備え、ピッチ変換機構（１７）は、ガイド板（１７ａ）に穿孔されたガイド孔を上下するガイド軸（１７ｂ）と空圧シリンダ（１７ｃ）を裏面に有する台板（１７ｄ）から構成され、台板（１７ｄ）は移動台（１３ａ）中から延長し、台板（１７ｄ）上に下部挟持部材（１１）が配置されている。上部基板挟持部材（９）は、長いヨーク対（９ａ）（９ｂ）と、短いヨーク対（９ｃ）（９ｄ）を有し、下部挟持部材（１１）も長いヨーク対（１１ａ）（１１ｂ）と、短いヨーク対（１１ｃ）（１１ｄ）を有し、これらヨーク対には先端に基板を１枚挟むツメが取り付けてあり、上部挟持部材の先端を下部の挟持部材よりも突出させて、長手挟持部材（９）、短手挟持部材（１１）とし、上部挟持部材（９）のヨーク対（９ａ）（９ｂ）（９ｃ）（９ｄ）はヨーク対スライド機構（１５ａ）（１５ｂ）により、下部挟持部材（１１）のヨーク対（１１ａ）（１１ｂ）（１１ｃ）（１１ｄ）はヨーク対スライド機構（１５ｃ）（１５ｄ）により、各々矢印の方向に移動する。
【００１７】
例えば（ｂ）図のようにヨーク対が上下に開いたとき、基板の間隔寸法は１０ｍｍであり、（ｃ）図のように上下に閉じたときの基板間隔寸法は５ｍｍとなる。この例においては上の基板（１）と下の基板（１）の間の間隔調整は、空圧シリンダ（１７ｃ）で、下の基板（１）のための下部基板挟持部材を上下にピッチ変換することにより行なわれるが、本発明においては必ずしも、下の基板（１）のための基板挟持部材を上下にピッチ変換することに限られる訳ではなく、上の基板（１）のための上部基板挟持部材を上下にピッチ変換してもあるいは上下双方の基板挟持部材を上下にピッチ変換するようにしてもよい。
【００１８】
例えばボックスキャリヤー（３）の基板収納間隔が１０ｍｍであり、回転治具（２５）の基板収納間隔が５ｍｍのときの移し替え動作は、ヨーク対をボックスキャリヤー（３）のアーム投入口よりヨーク対を挿入し、上部挟持部材（９）のヨーク対（９ａ）（９ｂ）（９ｃ）（９ｄ）と、上部挟持部材（１１）のヨーク対（１１ａ）（１１ｂ）（１１ｃ）（１１ｄ）のツメが上下２枚の基板挟持位置まで上昇し停止した後、上下の挟持部材（９）、（１１）のヨークスライド機構（１５ａ）（１５ｂ）（１５ｃ）（１５ｄ）を動作させ、図４（ｂ）に示すように、上下２枚の基板を挟持する。その後基板挟持部材（９）（１１）をボックスキャリヤー（１）より引き出し、図４（ｃ）に示すように、下部基板挟持部材（１１）を５ｍｍ上昇させ、挟持機構全体すなわち第１の搬送手段（５）全体を９０度回転させ、回転治具（２５）の基板挿入位置まで全体を上昇させ、回転治具（２５）に上部開口（２５ｂ）からヨーク対を挿入する。その後、挟持部材作動機構（１３）を動作させ基板（１）を放した後、ヨーク対を引き出し位置まで下降し引き出す。この繰り返しにて基板（１）を回転治具（２５）に移し替える。なお、本発明は基板間隔を１０、５ｍｍに制限するものではない。
【００１９】
図５は、本発明における第２の搬送手段（２９）により基板（１）を回転治具（２５）から図示しない洗浄槽（４０）（図６参照）に移し替えし、又は洗浄槽（４０）から回転治具（２５）に移し替えする詳細を説明する図で、回転治具（２５）はその底部開口（２５ｃ）に、基板支持台（２７ａ）を有する昇降機構（２７）を備え、昇降機構（２７）は複数の基板（１）を同時に頂部開口（２５ｂ）の上部に押し上げて前記第２の搬送手段（２９）に受け渡し、又は頂部開口（２５ｂ）の上部で前記第２の搬送手段（２９）から受け取る。
【００２０】
そしてこの第２の搬送手段（２９）は、基板（１）の主面が重なり合うように直立し、一定間隔にて配列された復数枚の基板（１）を挾持し、上下左右方向に搬送する基板の洗浄搬送装置（３５）（図６）に併設される基板挟持搬送装置であって、主面が重なり合うように直立し一定間隔にて配列された復数枚の基板（１）を両側から挾持する溝付き横バー（３１ｅ）（３１ｆ）を下方に有する挟持アーム（３１ａ）（３１ｃ）、（３１ｂ）（３１ｄ）を有し（但しこの図においては挟持アーム（３１ｃ）は（３１ａ）に重なり、挟持アーム（３１ｄ）は（３１ｂ）に重なっているので見えない）、挟持アーム（３１ａ）、（３１ｂ）はロッド（３１ｇ）を介してアーム開閉機構（３１ｈ）により開閉される。
【００２１】
図６は、洗浄搬送機全体の構成を示した図である。
この図において、洗浄搬送装置（３５）は、並列して設けている複数の洗浄槽（４０）に沿って移動し、第２の搬送手段（２９）を所望の洗浄槽（４０）に誘導し、昇降機構（２７）で作動される支柱（３５ａ）の上昇・下降により、一対の挟持アーム（３１ａ）（３１ｃ）、（３１ｂ（（３１ｄ）の上昇・下降と連動するようになっている。昇降機構（２７）及びアーム開閉機構（３１ｈ）の開閉により回転治具（２５）から受け渡された基板（１）は、洗浄搬送装置（３５）により移送され、例えば所定の洗浄槽（４０）に受け渡される。すなわち、基板（１）を挟持する第２の搬送手段（２９）は、洗浄搬送装置（３５）により搬送されて所定の洗浄槽（４０）上に配置される。粋洗浄槽（４０）中の基板保持台（４１）の純水（４２）中を上下に昇降する基板保持台（４１）は、純水（４２）上に露出してその受け溝（４１ａ）が基板（１）の下縁を支承するまで上昇し、挟持アーム（３１ａ）（３１ｂ）が開き、直立する複数の基板（１）を基板保持台（４１）に受け渡す。この図においては基板を７枚挟持しているが、本発明は挟持枚数を制限するものではない。また、本図は平行挟持方式であるが、本発明は挟持方式を制限するものではない。
【００２２】
図７は、本発明における基板洗浄装置全体の構成例を示した図である。この図では洗浄槽（薬液、水洗）が合計７槽であるが、本発明は槽の数量を限定するものではない。また、洗浄搬送装置（３５）が３台であるが、本発明は数量を限定するものではない。また本発明は洗浄前の基板入りボックスキャリヤー（３ａ）の保管数量を図のものに限定するものではない。（２ａ）は洗浄前のオープンキャリヤーであるが、同様に保管数量を限定するものではない。洗浄後の基板入りボックスキャリヤー（３ｂ）、オープンキャリヤー（２ｂ）についても同様であリ、保管数量を限定するものではない。このように本発明の搬送機構はボックスキャリヤーの場合に特に必要となるが、オープンキャリヤーの場合でも使用できないものではない。洗浄槽（４０）へは、基板（１）のみ投入、払出しをする。図中、符号（４０ａ）は洗浄槽を、符号（４０ｂ）は乾燥槽を、符号（４１）は排気ダクトを示す。
【００２３】
【発明の効果】
以上、詳細且つ具体的な説明より明らかなように、本発明の基板洗浄装置における搬送機構は、被洗浄物基板を、略同一平面内で異なる方向、位置に置かれたボックスキャリヤーと基板回転治具との間で汚れを生じることなく授受し、基板回転治具を横状態と縦状態に自在に回転させて縦状態のときに、基板を一括して該基板回転治具と洗浄槽との間で汚れ、傷を生じることなく授受することができ、ボックスキャリヤーより基板５０枚を取り出す場合、ボックスキャリヤーに収納された基板を、同時に複数、迅速かつ安定して、基板裏面の汚染なしに取り出して洗浄槽等搬送し、及び／又は、洗浄槽等からの被洗浄物基板を搬送して収納することができる。
【図面の簡単な説明】
【図１】本発明の基板搬送機構を理解し易く示す概念図である。
【図２】本発明の基板搬送機構における搬送手段および回転治具の動作を説明する図である。
【図３】本発明における第１の搬送手段の挟持部材作動機構の１例を示す図である。
【図４】本発明における第１の搬送手段の上下レベルをピッチ変換するピッチ変換機構の１例を説明する図である。
【図５】本発明における回転治具から洗浄槽への基板移し換えのための第２の搬送手段の１例を示す図である。
【図６】本発明における基板洗浄装置の全体構成例を示す図である。
【図７】本発明における基板洗浄機構の全体レイアウト例を示す図である。
【図８】従来のキャリアーを比較説明する図である。
【図９】本発明で用いるボックスキャリアーを従来のオープンキャリアート対比説明する図である。
【図１０】従来の洗浄用キャリアーを示す図である。
【符号の説明】
１  被洗浄物基板
２  オープンキャリヤー
２ａ  オープンキャリヤー
２ｂ  ボックスキャリヤー
３  ボックスキャリヤー
３ａ  ボックスキャリヤー
３ｂ  ボックスキャリヤー
５  第１の搬送手段
７  基腕
９  上部基板挟持部材
９ａ、９ｂ  長いヨーク対
９ｃ、９ｄ  短いヨーク対
１１  下部基板挟持部材
１１ａ、１１ｂ  長いヨーク対
１１ｃ、１１ｄ  短いヨーク対
１３  挟持部材作動機構
１３ａ  移動台
１５ａ、１５ｂ、１５ｃ、１５ｄ  ヨーク対スライド機構
１５ｅ  摺動部
１７  ピッチ昇降機構
１７ａ  ガイド板
１７ｂ  ガイド軸
１７ｃ  空圧シリンダ
１７ｄ  台板
１９  ツメ
１９ａ  カラー部
１９ｂ  凸部
２１  昇降機構
２３  回転機構
２５  回転治具
２５ａ  回転手段
２５ｂ  頂部開口
２５ｃ  底部開口
２７  昇降機構
２７ａ  基板支持台
２９  第２の搬送手段
３１ａ  挟持アーム
３１ｂ  挟持アーム
３１ｅ  溝付き横バー
３１ｆ  溝付き横バー
３１ｇ  ロッド
３１ｈ  アーム開閉機構
３５  洗浄搬送装置
３５ａ  支柱
４０  洗浄槽
４０ａ  洗浄槽
４０ｂ  乾燥槽
４１  基板保持台
４１ａ  受け溝
４２  純水
４３  排気ダクト
【図１】
0004137244.tif 000002
【図２】
0004137244.tif 000003
【図３】
0004137244.tif 000004
【図４】
0004137244.tif 000005
【図５】
0004137244.tif 000006
【図６】
0004137244.tif 000007
【図７】
0004137244.tif 000008
【図８】
0004137244.tif 000009
【図９】
0004137244.tif 000010
【図１０】
0004137244.tif 000011